(57)【要約】      （修正有）【課題】閉じた系でのエネルギー普遍の法則が、普遍則を超えて、いきなり１：１０の３８乗倍の激しい原子力として発生すると言う自然の現象を、重力、弱い力、電磁気力、核力に至る連続した穏やかなエネルギー発生方法としての、其の方法と装置を提供する。【解決手段】電磁力時である四次元モーターを一次元方向に多段とすることにより、各段の回転数と時間の積数を各段掛け合わせＮ段乗とする高速回転を得、二段目を固定子から開放し自由回転とする出力軸回転子による多段に於いて、二段目以降の内部自己誘導発電により発生する発電と供に出力軸プラス回転方向にトルクを倍化する駆動力と供に効率１として利用することが出来る。一段目駆動モータの励磁磁鉄部分を独立した第二回転子とし遊星ギヤで回転子と固定子とを連動させる事により、内部自己誘導発電により発生するマイナス方向トルクをプラス方向に変換し、効率０．５から効率１に改善できる。【選択図】図１
2006115676.tif 000002
【特許請求の範囲】
【請求項１】
四つのそれぞれが閉じた系である、重力、弱い力、電磁起力、核力のゲージ場のひとつ重力場内でのエネルギー普遍を、普遍を超える重力から核力にいたる連続した穏やかな自然のエネルギー発生方法として、電磁気力である三次元方向と回転する時間を入れた四次元を多段に用いて、閉じた系を超えるエネルギーを発生させる方法及び其の装置である四次元多段モータ。
【請求項２】
複数連続するモータの中間モータ固定子を固定から開放し出力軸回転子として回転させる多段モータ。及び同軸で回転子と回転子が機械的に繋がり二連動し、かつ回転子と出力軸回転子が電磁気力で繋がっている多段モータに於いて、回転子の直径が同じである一次元方向に多段か、回転子の直径が違う二次元方向に多段か、其の両方である三次元上多段である多段モータ、
【請求項３】
請求項２の多段モータ内で発生する自己誘導発電を連動する多段モータの駆動電源に追加し、及び外部にも取り出し他電源とする多段駆動発電方法及び装置。
【請求項４】
同軸上多段モータの多段目が発電機であり、かつ切り替えスイッチにより駆動モータでもある請求項２の多段モータ。
【請求項５】
同軸上逆転する請求項４の多段モータ二機を向かい合わせに保持する方法及び保持機を具備する多段モータ。
【請求項６】
回転子と電機子と同軸で、電機子の励磁磁鉄が筒状磁極相を形成し、かつ各相の励磁磁鉄を巻くコイルが回転子の外で形成する外電機子モータ。
【請求項７】
特許請求の範囲６の外電機子モータに於いて、電機子が磁極相励磁部分とコイル励磁部分とに分かれ独立し、磁極相励磁部分が電機子コイル励磁部分と隙間を構成しつつ、かつ回転子とも隙間を構成しつつ回転する第二回転子を形成する、第二回転子モータ。
【請求項８】
特許請求項７の第二回転子モータに於いて、第二回転子磁極相に自己誘導発電起磁力用閉鎖回路コイルを籠に巻き、第二電機子を構成する第二電機子モータ。
【請求項９】
特許請求の範囲７の第二回転子モータにおける、回転子と、第二回転子と、固定子を連動させる手段が遊星歯車である遊星モータ。及び遊星モータ回転子と、第二回転子と、固定子が磁石と励磁磁鉄と電機子、何れかとの組み合わせである遊星モータ。
【請求項１０】
特許請求項２の多段モータが、第二回転子モータか、第二電機子モータか、遊星モータで構成されているか、其のいずれかの組み合わせで構成されているブラシレス多段モータ。
【発明の詳細な説明】
【発明の詳細な説明】
【技術分野】
【０００１】多段駆動発電モータ
【背景技術】
【０００２】従来、モータの発電は火力発電のように入力エネルギーの半分止まりの出力効率しかない。発電機のみ考慮しても、入力エネルギー×力率１×効率１／２。あるいはエネルギー普遍に拘束される閉じた系を一足飛びに飛び越す、核力による原子力発電である。又核融合によるエネルギー発生も爆弾止まりである。電子を光速近く加速しぶっつけ合う核融合も、エネルギーを発生させるどころか膨大なエネルギーを消費するのが現実である。超伝導も常温では出来ない。駆動モータ自己誘導発電による電磁気力の有効利用が出来なく、効率０．５を超えられない。利用してもブラシレスモータのホール素子代わりの信号用電源程度である。発電機の発電時に起きる逆方向の電磁気力も有効利用されていない。閉じた系のエネルギーはエネルギー普変則を超えられなく、閉じた系を超える永久機関である自然を人工的に再現できていない。二連モータ固定子を重力場に固定するタコジェネレターを超える、二連目固定子を重力場から開放し自由回転させる多段モータの技術はまったく新しい世界だ。力率１や効率１を超えるモーターは無い。熱を効率１で直接電機エネルギーに変える技術は無い。
【発明が解決しょうとする課題】
【０００３】本発明は、閉じた系のエネルギー普変則を超える、重力から核力に至るエネルギーの発生を、激しい原子力の利用ではなく、穏やかな自然のエネルギー発生方法として、電磁起力方向と時間である回転方向を、四次元時空として併せ持つモータを連動多段とし、多段モータに拠り自在にコントロールすることを課題としている。多段モータの駆動発電装置の構造を単純簡単にすることを課題としている。電磁モータが駆動すると同じモータ内で自己誘導発電も起こり、電磁気力の方向が逆流し、抵抗し発熱している。この抵抗である電磁気力方向を促進する方向に印加変換し電気抵抗の無い常温超伝導とし、かつ効率１とすることを課題としている。発電機の発電時に起きる抗力をトルクによる余剰エネルギーとして電力、あるいは駆動力に変換することを課題としている。高速回転発電時の発電により発生するマイナス方向の電磁気力を有効利用し効率１とすることを課題としている。発電及び駆動モータの温度を上げないようにすることを課題としている。発電と駆動の効率が回転数の早いと遅いの逆比にあるのを、効率よく組み合わせ倍化させることを課題としている。交流電磁気力のエネルギー変換率が力率１で効率０．５であるのを、固体力学の玉突きと同じ効率１にすることを課題としている。多段モータによる効率１のＮ倍化を課題としている。多段モータを自動車用動力、発電機とすることを課題としている。
【課題を解決する為の手段】
【０００４】多連モータそれぞれのモータ本体は固定子とする。二連モータの第二モータ固定子を開放し回転させるのを単位とするモータを多段モータと名付ける。多段モータに於ける一段目の固定子以外の回転する固定子本体を出力軸回転子と名前を付ける。発電機と駆動モータを同軸上二段とし、発電機本体固定子を固定から外し回転させると、互いの回転数と力を掛け合わせる仕事力の、閉じた系でのエネルギー普遍を超える物理学上の力の統一を、物性物理の世界に於いて具現する。この多段モータは容易な異四次元に至る統一高速回転駆動発電モータを得ることが出来る。二段モータを一段モータから眺めると時間と回転数が二乗と多い、モータ本体と回転子のベアリング部の摩擦は在来技術である。一段目の回転子と二段目回転子の回転数を同じとすると、二段目の本体と二段目の回転子とのベアリング部での摩擦も在来技術でよい、これにより一段目回転数と時間の積を二乗する回転数まで二段目で引出す異次元世界の現出が可能である。又逆転する多段モータ二機を向かい合わせに保持することにより、高速回転ベアリング部を同回転数とすることが出来、摩擦抵抗０を容易に具現することが出来る。モータの回転はベアリングの摩擦抵抗と、駆動モータ内自身で発生する発電に拠る起電力が電流を逆流させショートし、回転に対する内部抵抗となり、発熱すると供に、互いに打ち消しあう起力によりトルクがなくなる。これを防げば、回転数は加速度として上がり、等速運動とすれば二段目以降は摩擦抵抗を考慮しなければ互いに効率１として、発生する電気によりプラスマイナスし消費電力０となる、と供に新たに発生するトルクも倍化して利用することが出来る。媒介は中間子にあたる同軸同回転方向で磁束と電流方向が逆方向の回転電機子。高速回転でまわる発電機の回転子に対する効率は加速度系であるから速度＝時間×距離の二乗である。回転速度が速ければ速いほど効率は爆発的によい。これを実現する多段モータは一段目での駆動モータ内部発電電流の方向を二段目では逆向き、すなわちモータを駆動する方向に向けることによりプラスマイナス打ち消しあう効率を効率１に具現する。これにより一段目と二段目の回転数の比１＋１＝２実際は  モータの回転数は歯車と同じであるから２のＮ段乗のエネルギーとして容易に引き出すことが、遠心力による物質の破壊内に於いて可能となり、多段モータを駆動するエネルギーと差速回転部の発電量との差が新しいエネルギー源として具現する。多段モータ多段方向を一次元方向と円盤である二次元方向に組み合わせる同軸三次元多段モータとすることにより、構造も簡単に、かつ効率が発電は高回転数に駆動トルクは低速回転に係り、構造的には直径の比に置き換えることが出来、直径比効率として新たなエネルギーを発生させることが出来る。駆動時の自己誘導発電と発電時抵抗起力を取り出し電気エネルギーに印加することにより、発電機の小型、高効率化を容易とする。一段目駆動モータと三段目発電機の間に、ジョイントとして二段目の駆動発電機を挿入することにより二段目駆動回転子コイルに流れる電流と、二段目出力軸回転子との間に出来る一段目と回転方向が逆な、回転差速により、駆動電流方向と同じ自己誘導発電電流方向が起こ��、内部電気抵抗０の発電が起きることを具現する。この発電による起力は三段目発電機を駆動するトルクとなる。これによる常温超伝導磁気浮上はベアリング抵抗０のブレの無い滑らかな回転を具現する。二段目発電機本体が回転する、これによる効率１は新たな熱エネルギー転換スイッチとして、発電は電子の重力場への出るだけの一方通行とすることができ、廻りの熱エネルギーを、回転する温度が下がっていく発電機本体から、熱を可逆的に吸収し電気エネルギーに変換し、閉じた系のエネルギー普変則を超えることを可能とする。駆動モータの直径に対し連動し多段とする発電機の直径を大きくすると、其の倍率だけ発電効率がよくなる。回転子の直径の比が１：２とすると、円周の長さと同じである磁束の長さの比も１：２であり、回転数が同じとすると固定子と回転子の差速が１：２であり、消費電気が１：２とする時、固定子と回転子の間の差速によるすりきり力は１：２であり、これによりトルク比は１：２×２と二倍効率があがる。海面上の水と山の湖の水と同じ水でも位置のエネルギーが違うのと似ている。中間モータ通電をブラシレスにするにはモータ同心筒状・励磁磁鉄にコイルを巻き、交流では相数と同じ積層とし、回転体の外に具備し、これを外電機子と名付けこの段階でのモータを外電機子モータと名つけるが、永久磁石と外電機子の間にそれぞれに隙間を設けた同心の磁極励磁磁鉄回転子、これを第二回転子と名付けるが、を設けることによりブラシレス中間モータが可能となる、これを第二回転子モータと名付ける。第二回転子は自己誘導発電時の抗力が回転力につながらない、これを多段部連動トルクに利用するときは第二回転子に閉鎖回路コイルを取り付けるとトルクが発生する、これを第二電機子と名付け、回転子と第二電機子と電機子からなるモータを第二電機子モータと名つける。一段目の駆動モータは、自己誘導発電による逆方向の電磁気力により、永久磁石との間に高速回転時でトルクがなくなる。これを改善するには、一段目駆動モータ電機子の磁極励磁磁鉄を、自己誘導発電によるマイナス方向のトルクをプラス方向に変えるため、外電機子とし、隙間を隔てて切離した磁極励磁磁鉄の第二回転子を形成し、従来の回転子を出力軸回転子に変換する、そして外電機子を固定子とし、第二回転子と出力軸回転子を遊星歯車で連動することに拠り自己誘導発電によるマイナストルクをプラス方向に変換し、これにより高速回転時でもトルク発生を可能とするこれを遊星モータと名つける。更に多段ベアリング効率と同じように三次元多段発電効率も、閉じた系でのエネルギー2006115676.tif 000003
することで±１の２５６乗Ｇ＝２の１２８  乗Ｇと核力に至る事が必要と有れば可能となる。
【発明を実施するための最良の形態】
【０００５】多段モータに於ける中間のモータは、容易に駆動モータ自己誘導発電による、内部閉鎖回路で発生する駆動方向と逆の電磁気力抵抗を、コイルの巻き方行と回転体の組み合わせに拠り、電流とトルクの方向を駆動方向に逆転させることが出来。発生する内部発電電流は駆動電流方向に向けクーパ対のボーズ粒子として印加することができ。これにより発熱しない常温超伝導電流を加えることを具現する。常温超伝導は加速度的に回転を上げる抵抗のない磁気浮上ベアリングも容易に具現する。多段モータに於ける一段目駆動モータは、発生する自己誘導発電起力により、高速になればなるほどマイナストルクとして打ち消しあう。これを同軸で電機子と永久磁石との間に励磁磁鉄・第二回転子を具備し、それぞれを遊星歯車で連動する遊星モータは、高速回転に至るも、自己誘導発電により発生する逆方向の電磁気力を、トルクを上乗せにする方向に逆転させ倍化する。トルクを低速回転のみならず高速回転においても維持することが出来る。二段目駆動モータにおいては、出力軸回転子の回転方向を同じくす電流方向は一段目の逆である。これにより発生する自己誘導発電電流を容易に二段目の駆動電流方向とすることが出来る。二段目の発電するための反力は固定子を開放することにより駆動動力としてのトルクを発生する。回転数毎秒１００回転で回転している二段目モータの本体を一段目モータが回転させると、二段目モータの回転子回転数は１００×１００となり、たとえばＮ段迄の回転数に物質引っ張り力が耐えられるとすると１００のＮ乗の回転数を得ることが出来る。その上時間のＮ段数乗倍の回転を積数として得ることが出来る。こうした重力場とは、まったく別な逆数であるマイナスの異次元世界が多段モータの中間では起きている。本発明の多段モータ実施は図をもとに一段事に順次説明される。一段目遊星モータにおいて、同芯で三相交流用三重筒状励磁磁鉄にそれぞれに巻かれた外電機子コイルに流した電流に拠り発生した磁気は、隙間を経て、励磁磁鉄の第二回転子を経過し、隙間を経て、出力軸、回転子に伝わる。出力軸回転子は第二回転子と差速を形成するが、遊星ギヤにより固定子である外電機子に対し第二回転子と同方向に回転する。この回転方向により出来る差速による自己誘導発電方向は、駆動方向に印加される。第二回転子が閉鎖回路の籠状電導体を具備する第二電機子でも、同様に駆動方向に印加される。これにより閉じた四次元・交流電磁気力の効率二分の一は改善され、効率１に近ずく。二段目第二電機子モータに於いては、一段目出力軸回転子と同体同軸で励磁磁鉄と籠状電導体で構成される二段目・第二電機子を経て、永久磁石を具備する二段目・出力軸回転子を回転させる。二段目第二電機子モータの外電機子コイルと隙間をへて励磁的に一体である励磁磁鉄を一段目遊星モータが駆動回転させ二段目外電機子に電気が発生する。二段目第二電機子モータ本体磁石磁束と自己誘導発電により発生する磁束密度の積である差速力、これを、すりきり力と名付ける、により二段目本体自身も連れて回転し、二段目出力軸回転子となる。二段目第二電機子モータ出力軸回転子のトルクにより、一体なる多段目発電機モータ回転子と多段目モータ発電機・固定子・電機子���の間で起きる回転差速により多段目で発電を成す。二段目と多段目の間に二段目と同じ第二電機子モータを何段も具備する事は可能で在る。多段電動モータ固定子の支持と多段発電機コイル支持とを同じくすることにより多段目で発電電流を得る。かつ中間の浮遊する第二電機子と出力軸回転子は、それぞれ発電と駆動と言う、方向の違う電磁気力によるクーパー対の量子ポーズ粒子により、常温超伝導磁気浮上し、各段のベアリング抵抗を０とすることも具現した。中間モータの自己誘導発電も一方通行として励磁磁鉄・第二電機子から隙間を経て励磁した外電機子から得ることも具現する。これの発生エネルギー補充は、中間モータが常温超伝導となり温度が下がり、回りの熱エネルギーを吸収し電気エネルギーに可逆変換する。この駆動発電モータを自動車の動輪とすると、トルクの必要なスタート時には、一段と多段を駆動モータとし、巡航時には一段目を駆動とし、中間段目をトルク伝達機関と供に省電力以上の発電も実現し、減速時には多段目のモータも発電に参加することが容易となった。逐電が必要な時には一段目が駆動し、中間段目がトルク伝達しつつ発電も行い、かつ多段目が発電も行うことが容易と成った。これにより効率１以上が可能となった。其の上で多段を二次元円盤上に構成することにより、効率は、エネルギー投入が直径比に対し、二段モータ発生エネルギーは面積である二乗として現れる。したがって効率は容易に直径比として、発生する。
【実施例】
【０００６】本発明の実施例は、一段目１０ＫＶＡの交流駆動モータ。制御回路は３３３Ｖ・３３Ａの交流電源を、トランジェスターと磁力による位置検出器の機能を用い回転磁界を作り永久磁石と一体の出力軸回転子を回転させ、トルク力率１．効率０．５の位置に設定した。一段目から二段目への力の伝達は効率０．５。一段目駆動モータに励磁磁鉄第二回転子を具備し、出力軸回転子と固定・外電機子との三つの力の連動に、遊星歯車を用いることにより、自己誘導発電よる抵抗を逆向きにすることが可能となったことにより、効率１は、多段モータ全体の効率を倍化にする。一段目出力軸回転子は最大回転数４００００回転・トルク２．５Ｋｇ、半径５ｃｍ・すりきり力５０Ｋｇ。一段目と二段目の電動モータを、それぞれ直径比１：２とし、差速回転数を２００００回転・トルク５Ｋｇ、半径１０ｃｍ・すりきり力５０Ｋｇ。二段目と三段目の直径比２：３、差速回転数１００００回転・トルク１０Ｋｇ、半径１５ｃｍ・すりきり力５０Ｋｇ。三段目と四段目の直径比３：４、回転数０回転、差速回転数１００００回転・トルク１０Ｋｇ、半径２０ｃｍ・すりきり力５０Ｋｇとした。２〜４段目の発電機用外電機子回路には交流発電で行った。制御回路はトランジェスターを用い全波整流、力率１とした。ベアリング抵抗などの損失は省いて述べる。一段目駆動モーターの電機子磁束の巾は８０ｍｍ，    二段目第二回転子の磁束巾は４０ｍｍ、三段目第二回転子の磁束巾は３０ｍｍ，四段目第二電機子の磁束巾は２０ｍｍ。一段目と二段目の直径比による効率は倍ですから二段目電機子コイルには投入電力１０ＫＶＡに対して効率０．５の５ＫＶＡの電気を発電する。同様に三段目電機子には二段目よりの出力５０ＫＶＡに対し、直径比１：１．５倍で、効率０．７５の７．５ＫＶＡの発電をする。四段目は三段目の効率０．７５と同じで０．７５ＫＶＡの仕事か、普通の発電機ですから、発電効率０．５で５ＫＶＡの発電のどちらかを切り替えスイッチで作動させる。合わせて投入電力１０ＫＶＡに対して、１７．５ＫＶＡ  の発電出力で有り、一段目駆動モータを遊星モータとすると、倍の３５ＫＶＡ  の出力を成す。
【発明の効果】
【０００７】従来の駆動モータを高速回転に至らせれば自己誘導発電による駆動方向に対する反対方向の起力によりトルクはなくなり、発生する発電電力が駆動電力に上乗せに成りプラスマイナスして消費電力は各種損のみの省電力となる、しかし其の反面トルクが無くなりモータの要が無くなる。本発明の一段目駆動モータは、第二回転子による遊星歯車の利用により、回転トルクと自己誘導発電による起力をプラス方向のみ起こす事が可能となり、自己誘導発電によるトルク損を逆方向にすることにより防ぎ、高速回転に於いてもトルクを出す事が容易となった。一段目と連動する二段目駆動発電機の出力軸回転子にトルク力で仕事をさせると、電機子との隙間でのプラス方向の差速が増え、発電量が大きくなる。二段目励磁磁鉄第二回転子の高速回転と二段目第二電機子閉鎖回路発電で得られる二段目出力軸回転子のトルクは三段目発電機電機子に伝わり大口径トルク発電を具現した。このトルクの反力は二段目第二電機子閉鎖回路発電時すりきり力であるが方向が固定子重力場と逆のため、一段目固定子にはプラストルクとして伝わり、一段目のトルクによる反力は±０と成る。一段目駆動モータの変わりに内燃機関や風車、水車駆動に於いても二段目以降発電駆動の効率は変わらない。向かい合った駆動モータ多段先端部二機の間に保持機を具備しフライホイールとし、フライホイールに磁石を具備し、その外側、あるいは内側に固定子コイルを具備し多段高出力発電を可能とした。三段及び多段一軸一機でも高出力発電は可能である。一段と最多段目駆動発電電源を交流駆動発電電源コイル重力場固定とすることで，配線の構造は簡単にすることも可能となった。其の上で中間回転体の発電電気を固定子に通電するブラシレスの方法を、出力軸回転子の永久磁石と固定子電機子コイルとの間に、同軸自由回転する励磁磁鉄第二回転子か第二電機子を具備する事により、ブラシレスの容易な電源伝達方法を具現した。一段目駆動モータは低速回転の時にトルクが大きく、二段目以降発電機は高速回転の時に発電が大きい。この差は二段目を一段目の同心円上に二次元多段とすることで一段目と二段目の直径比と同じ効率を、トルクと回転の積の比とすることが出来た。構造を一段目回転子と二段目回転子を同心円状一体と構造を歯車のいらない、効率の良い、簡単な構造に具現することが出来た。二機の多段モータ接続部保持機に駆動用歯車を取り付けることにより容易に自動車のエンジンとすることが出来た。多段目駆動モータを発電機として切り替え、自動車自体が発電機として利用することも可能となった。三段目で発電あるいは駆動の仕事をさせることによりに二段目に差速が出来、二段目でも発電し、これによる自転する以外の余剰エネルギーの発生により構造が非常に簡素に製作出来る安価な異次元統一エネルギーモータが可能となった。燃料のいらない自動車、コンセントのいらない電気製品など、早い時機でのエネルギー革命が押し寄せるでしょう。日本はアッと言う間に世界一豊かな国となることでしょう。
【図面の簡単な説明】
【０００８】
【図１】は本発明の同軸三次元多段モータとする四段二機の１／２断面図。
【図２】は本発明の遊星モータ軸方向の断面図。
【図３】は本発明の遊星モータ回転面の断面図。
【符合の説明】
【０００９】  Ａ    一段目  Ｂ    二段目  Ｃ    三段目  Ｄ    四段目  Ｅ    外電機子  Ｆ        永久磁石  Ｇ    励磁磁鉄  Ｈ    隙間  Ｉ    回転子  Ｊ    固定子  Ｋ        出力軸回転子  Ｌ    位置検出器  Ｍ    軸  Ｎ    保持機  Ｏ    電機子コイル      Ｐ    電機子磁鉄  Ｑ    駆動用歯車  Ｒ    磁極励磁磁鉄  Ｓ    遊星歯車  Ｔ        第二回転子  Ｕ    第二電機子
【図１】
2006115676.tif 000004
【図２】
2006115676.tif 000005
【図３】
2006115676.tif 000006